(57)【要約】【課題】顧客が、カード２の発行時に第１のサービスの提供を、厳密な審査の終了後に第２のサービスの提供を受けることができる。【解決手段】第１のサービス端末から第１のサービス用顧客ＩＤを含む第１のサービスの提供要求を受信した場合、該第１のサービス用顧客ＩＤが記憶手段１２に記憶されているか否かに基づいて、該第１のサービスの提供の可否を判断する第１の判断手段１７と、第２のサービスの提供の可否を審査した結果に基づいて記憶手段１２において第２のサービス提供可能情報を第２のサービス用顧客ＩＤに関連付けて記憶する審査手段１５と、第２のサービス端末から第２のサービス用顧客ＩＤを含む第２のサービスの提供要求を受信した場合、該第２のサービス用顧客ＩＤに第２のサービス提供可能情報が関連付けられているか否かに基づいて、第２のサービスの提供の可否を判断する第２の判断手段１８とを具備する。【選択図】　　　図１
2004005255.tif 000002
【特許請求の範囲】
【請求項１】
サーバ装置と、顧客に対してカードを発行するカード発行端末とを具備するカード発行システムであって、
前記サーバ装置は、
前記顧客が前記カードの発行を申し込む意思を示す申込情報を受信する申込情報受信手段と、
前記申込情報に応じて、前記顧客を識別する第１のサービス用顧客ＩＤと第２のサービス用顧客ＩＤとを関連付けて記憶する記憶手段と、
前記申込情報に応じて、前記顧客ＩＤと前記第１のサービス用顧客ＩＤと前記第２のサービス用顧客ＩＤとを含むカード発行許可情報を前記カード発行端末に送信するカード発行許可情報送信手段と、
第１のサービス端末から前記第１のサービス用顧客ＩＤを含む第１のサービスの提供要求を受信した場合、該第１のサービス用顧客ＩＤが前記記憶手段に記憶されているか否かに基づいて、該第１のサービスの提供の可否を判断する第１の判断手段と、
前記申込情報に応じて、前記顧客に対する第２のサービスの提供の可否を審査した結果に基づいて、前記記憶手段において前記第２のサービスを提供可能である旨を示す第２のサービス提供可能情報を前記第２のサービス用顧客ＩＤに関連付けて記憶する審査手段と、
第２のサービス端末から前記第２のサービス用顧客ＩＤを含む第２のサービスの提供要求を受信した場合、前記記憶手段において該第２のサービス用顧客ＩＤに前記第２のサービス提供可能情報が関連付けられているか否かに基づいて、前記第２のサービスの提供の可否を判断する第２の判断手段とを具備し、
前記カード発行端末は、
前記サーバ装置から受信した前記カード発行許可情報に応じて、前記顧客に対して前記第１のサービス用顧客ＩＤ及び前記第２のサービス用顧客ＩＤを含む前記カードを発行するカード発行手段を具備することを特徴とするカード発行システム。
【請求項２】
前記カード発行端末の前記カード発行手段は、前記カードの磁気部又はＩＣチップ部に、前記第１のサービス用顧客ＩＤ及び前記第２のサービス用顧客ＩＤを記憶させることによって、前記カードを発行することを特徴とする請求項１に記載のカード発行システム。
【請求項３】
前記第１のサービスは、ポイントサービスであり、前記第２のサービスは、キャッシングサービスであることを特徴とする請求項１又は２に記載のカード発行システム。
【請求項４】
カード発行端末が顧客に対してカードを発行するカード発行方法であって、
サーバ装置において、前記顧客が前記カードの発行を申し込む意思を示す申込情報を受信する工程Ａと、
前記サーバ装置において、前記申込情報に応じて、前記顧客を識別する第１のサービス用顧客ＩＤと第２のサービス用顧客ＩＤとを関連付けて記憶する工程Ｂと、
前記サーバ装置において、前記申込情報に応じて、前記顧客ＩＤと前記第１のサービス用顧客ＩＤと前記第２のサービス用顧客ＩＤとを含むカード発行許可情報を前記カード発行端末に送信する工程Ｃと、
前記カード発行端末において、前記サーバ装置から受信した前記カード発行許可情報に応じて、前記顧客に対して前記第１のサービス用顧客ＩＤ及び前記第２のサービス用顧客ＩＤを含む前記カードを発行する工程Ｄと、
前記サーバ装置において、第１のサービス端末から前記第１のサービス用顧客ＩＤを含む第１のサービスの提供要求を受信した場合、該第１のサービス用顧客ＩＤが記憶されているか否かに基づいて、該第１のサービスの提供の可否を判断する工程Ｅと、
前記サーバ装置において、前記申込情報に応じて、前記顧客に対する第２のサービスの提供の可否を審査した結果に基づいて、前記第２のサービスを提供可能である旨を示す第２のサービス提供可能情報を前記第２のサービス用顧客ＩＤに関連付けて記憶する工程Ｆと、
前記サーバ装置において、第２のサービス端末から前記第２のサービス用顧客ＩＤを含む第２のサービスの提供要求を受信した場合、該第２のサービス用顧客ＩＤに前記第２のサービス提供可能情報が関連付けられているか否かに基づいて、前記第２のサービスの提供の可否を判断する工程Ｇとを有することを特徴とするカード発行方法。
【請求項５】
前記工程Ｄにおいて、前記カード発行端末は、前記カードの磁気部又はＩＣチップ部に、前記第１のサービス用顧客ＩＤ及び前記第２のサービス用顧客ＩＤを記憶させることによって、前記カードを発行することを特徴とする請求項４に記載のカード発行方法。
【請求項６】
前記第１のサービスは、ポイントサービスであり、前記第２のサービスは、キャッシングサービスであることを特徴とする請求項４又は５に記載のカード発行方法。
【請求項７】
顧客がカードの発行を申し込む意思を示す申込情報を受信する申込情報受信手段と、
前記申込情報に応じて、前記顧客を識別する第１のサービス用顧客ＩＤと第２のサービス用顧客ＩＤとを関連付けて記憶する記憶手段と、
前記申込情報に応じて、前記顧客ＩＤと前記第１のサービス用顧客ＩＤと前記第２のサービス用顧客ＩＤとを含むカード発行許可情報を前記カード発行端末に送信するカード発行許可情報送信手段と、
第１のサービス端末から前記第１のサービス用顧客ＩＤを含む第１のサービスの提供要求を受信した場合、該第１のサービス用顧客ＩＤが前記記憶手段に記憶されているか否かに基づいて、該第１のサービスの提供の可否を判断する第１の判断手段と、
前記申込情報に応じて、前記顧客に対する第２のサービスの提供の可否を審査した結果に基づいて、前記記憶手段において前記第２のサービスを提供可能である旨を示す第２のサービス提供可能情報を前記第２のサービス用顧客ＩＤに関連付けて記憶する審査手段と、
第２のサービス端末から前記第２のサービス用顧客ＩＤを含む第２のサービスの提供要求を受信した場合、前記記憶手段において該第２のサービス用顧客ＩＤに前記第２のサービス提供可能情報が関連付けられているか否かに基づいて、前記第２のサービスの提供の可否を判断する第２の判断手段とを具備し、
前記カード発行端末は、前記サーバ装置から受信した前記カード発行許可情報に応じて、前記顧客に対して前記第１のサービス用顧客ＩＤ及び前記第２のサービス用顧客ＩＤを含む前記カードを発行することを特徴とするサーバ装置。
【請求項８】
前記カード発行端末は、前記カードの磁気部又はＩＣチップ部に、前記第１のサービス用顧客ＩＤ及び前記第２のサービス用顧客ＩＤを記憶させることによって、前記カードを発行することを特徴とする請求項７に記載のサーバ装置。
【請求項９】
前記第１のサービスは、ポイントサービスであり、前記第２のサービスは、キャッシングサービスであることを特徴とする請求項７又は８に記載のサーバ装置。
【発明の詳細な説明】
【０００１】
【発明の属する技術分野】
本発明は、カード発行システム、カード発行方法及びこれらに用いて好適なサーバ装置に関する。
【０００２】
【従来の技術】
従来、ポイントサービスやキャッシングサービス等の複数のサービスの提供を受けることが可能なカードを発行するカード発行システムやカード発行方法が知られている。
【０００３】
【発明が解決しようとする課題】
しかしながら、従来のカード発行システムやカード発行方法では、ポイントサービス等の厳密な審査を必要としないため即時利用可能なサービス（第１のサービス）及びキャッシングサービス等の厳密な審査を必要とするため即時利用不可能なサービス（第２のサービス）の提供を受けることが可能なカードを発行する場合に、即時利用可能であるべき第１のサービスについても、第２のサービスの提供を受けるための厳密な審査の終了後でなければ提供を受けることができないという問題点があった。
【０００４】
そこで、本発明は、以上の点に鑑みてなされたもので、顧客が、即時利用可能な第１のサービス及び即時利用不可能な第２のサービスの提供を受けることが可能なカードの発行時に第１のサービスのみの提供を受けることを可能とし、厳密な審査の終了後に第２のサービスの提供を受けることを可能とするカード発行システム及びカード発行方法を提供することを目的とする。
【０００５】
【課題を解決するための手段】
請求項１記載の発明は、サーバ装置と、顧客に対してカードを発行するカード発行端末とを具備するカード発行システムであって、前記サーバ装置は、前記顧客が前記カードの発行を申し込む意思を示す申込情報を受信する申込情報受信手段と、前記申込情報に応じて、前記顧客を識別する第１のサービス用顧客ＩＤと第２のサービス用顧客ＩＤとを関連付けて記憶する記憶手段と、前記申込情報に応じて、前記顧客ＩＤと前記第１のサービス用顧客ＩＤと前記第２のサービス用顧客ＩＤとを含むカード発行許可情報を前記カード発行端末に送信するカード発行許可情報送信手段と、第１のサービス端末から前記第１のサービス用顧客ＩＤを含む第１のサービスの提供要求を受信した場合、該第１のサービス用顧客ＩＤが前記記憶手段に記憶されているか否かに基づいて、該第１のサービスの提供の可否を判断する第１の判断手段と、前記申込情報に応じて、前記顧客に対する第２のサービスの提供の可否を審査した結果に基づいて、前記記憶手段において前記第２のサービスを提供可能である旨を示す第２のサービス提供可能情報を前記第２のサービス用顧客ＩＤに関連付けて記憶する審査手段と、第２のサービス端末から前記第２のサービス用顧客ＩＤを含む第２のサービスの提供要求を受信した場合、前記記憶手段において該第２のサービス用顧客ＩＤに前記第２のサービス提供可能情報が関連付けられているか否かに基づいて、前記第２のサービスの提供の可否を判断する第２の判断手段とを具備し、前記カード発行端末は、前記サーバ装置から受信した前記カード発行許可情報に応じて、前記顧客に対して前記第１のサービス用顧客ＩＤ及び前記第２のサービス用顧客ＩＤを含む前記カードを発行するカード発行手段を具備することを要旨とする。
【０００６】
かかる発明によれば、第１のサービス又は第２のサービスを提供可能か否かの判断手法を異なるように構成された第１の判断手段と第２の判断手段とを設けることによって、発行されたカードを携帯する顧客に対して、即時に第１のサービスについて提供することができ、厳密な審査の終了後に初めて第２のサービスについて提供することができるカード発行システムを提供することができる。
【０００７】
請求項２記載の発明は、請求項１に記載の発明において、前記カード発行端末の前記カード発行手段が、前記カードの磁気部又はＩＣチップ部に、前記第１のサービス用顧客ＩＤ及び前記第２のサービス用顧客ＩＤを記憶させることによって、前記カードを発行することを要旨とする。
【０００８】
請求項３記載の発明は、請求項１又は２に記載の発明において、前記第１のサービスが、ポイントサービスであり、前記第２のサービスが、キャッシングサービスであることを要旨とする。
【０００９】
請求項４記載の発明は、カード発行端末が顧客に対してカードを発行するカード発行方法であって、サーバ装置において、前記顧客が前記カードの発行を申し込む意思を示す申込情報を受信する工程Ａと、前記サーバ装置において、前記申込情報に応じて、前記顧客を識別する第１のサービス用顧客ＩＤと第２のサービス用顧客ＩＤとを関連付けて記憶する工程Ｂと、前記サーバ装置において、前記申込情報に応じて、前記顧客ＩＤと前記第１のサービス用顧客ＩＤと前記第２のサービス用顧客ＩＤとを含むカード発行許可情報を前記カード発行端末に送信する工程Ｃと、前記カード発行端末において、前記サーバ装置から受信した前記カード発行許可情報に応じて、前記顧客に対して前記第１のサービス用顧客ＩＤ及び前記第２のサービス用顧客ＩＤを含む前記カードを発行する工程Ｄと、前記サーバ装置において、第１のサービス端末から前記第１のサービス用顧客ＩＤを含む第１のサービスの提供要求を受信した場合、該第１のサービス用顧客ＩＤが記憶されているか否かに基づいて、該第１のサービスの提供の可否を判断する工程Ｅと、前記サーバ装置において、前記申込情報に応じて、前記顧客に対する第２のサービスの提供の可否を審査した結果に基づいて、前記第２のサービスを提供可能である旨を示す第２のサービス提供可能情報を前記第２のサービス用顧客ＩＤに関連付けて記憶する工程Ｆと、前記サーバ装置において、第２のサービス端末から前記第２のサービス用顧客ＩＤを含む第２のサービスの提供要求を受信した場合、該第２のサービス用顧客ＩＤに前記第２のサービス提供可能情報が関連付けられているか否かに基づいて、前記第２のサービスの提供の可否を判断する工程Ｇとを有することを要旨とする。
【００１０】
請求項５記載の発明は、請求項４に記載の発明において、前記工程Ｄで、前記カード発行端末は、前記カードの磁気部又はＩＣチップ部に、前記第１のサービス用顧客ＩＤ及び前記第２のサービス用顧客ＩＤを記憶させることによって、前記カードを発行することを要旨とする。
【００１１】
請求項６記載の発明は、請求項４又は５に記載の発明において、前記第１のサービスが、ポイントサービスであり、前記第２のサービスが、キャッシングサービスであることを要旨とする。
【００１２】
請求項７記載の発明は、顧客がカードの発行を申し込む意思を示す申込情報を受信する申込情報受信手段と、前記申込情報に応じて、前記顧客を識別する第１のサービス用顧客ＩＤと第２のサービス用顧客ＩＤとを関連付けて記憶する記憶手段と、前記申込情報に応じて、前記顧客ＩＤと前記第１のサービス用顧客ＩＤと前記第２のサービス用顧客ＩＤとを含むカード発行許可情報を前記カード発行端末に送信するカード発行許可情報送信手段と、第１のサービス端末から前記第１のサービス用顧客ＩＤを含む第１のサービスの提供要求を受信した場合、該第１のサービス用顧客ＩＤが前記記憶手段に記憶されているか否かに基づいて、該第１のサービスの提供の可否を判断する第１の判断手段と、前記申込情報に応じて、前記顧客に対する第２のサービスの提供の可否を審査した結果に基づいて、前記記憶手段において前記第２のサービスを提供可能である旨を示す第２のサービス提供可能情報を前記第２のサービス用顧客ＩＤに関連付けて記憶する審査手段と、第２のサービス端末から前記第２のサービス用顧客ＩＤを含む第２のサービスの提供要求を受信した場合、前記記憶手段において該第２のサービス用顧客ＩＤに前記第２のサービス提供可能情報が関連付けられているか否かに基づいて、前記第２のサービスの提供の可否を判断する第２の判断手段とを具備し、前記カード発行端末は、前記サーバ装置から受信した前記カード発行許可情報に応じて、前記顧客に対して前記第１のサービス用顧客ＩＤ及び前記第２のサービス用顧客ＩＤを含む前記カードを発行することを要旨とする。
【００１３】
請求項８記載の発明は、請求項７に記載の発明において、前記カード発行端末が、前記カードの磁気部又はＩＣチップ部に、前記第１のサービス用顧客ＩＤ及び前記第２のサービス用顧客ＩＤを記憶させることによって、前記カードを発行することを要旨とする。
【００１４】
請求項９記載の発明は、請求項７又は８に記載の発明において、前記第１のサービスが、ポイントサービスであり、前記第２のサービスが、キャッシングサービスであることを要旨とする。
【００１５】
【発明の実施の形態】
（本発明の一実施形態に係るカード発行システムの構成）
本発明の一実施形態に係るカード発行システムの構成について図を参照しながら説明する。図１は、本実施形態に係るカード発行システムの概略構成を示す図である。
【００１６】
図１に示すように、本実施形態に係るカード発行システムは、サーバ装置１０と、カード発行端末３０と、第１のサービス端末５０と、第２のサービス端末７０とを具備する。
【００１７】
サーバ装置１０は、申込情報受信部１１と、顧客ＤＢ１２と、カード発行許可情報送信部１３と、審査要求部１４と、審査結果受信部１５と、審査結果送信部１６と、第１のサービスＩ／Ｆ部１７と、第２のサービスＩ／Ｆ部１８とを具備している。
【００１８】
申込情報受信部１１は、本実施形態において、顧客がカード２の発行を申し込む意思を示す申込情報を受信する申込情報受信手段を構成する。
【００１９】
具体的には、申込情報受信部１１は、顧客ＤＢ１２とカード発行許可情報送信部１３と審査要求部１４とに接続されており、顧客から受信した申込情報を顧客ＤＢ１２とカード発行許可情報送信部１３と審査要求部１４とに通知する。
【００２０】
申込情報は、カード発行端末３０からネットワーク１を介して送信される電子情報であってもよいし、郵送やＦＡＸを介して送信される申込用紙等の媒体に記入されたものであってもよい。また、申込情報には、顧客の氏名、住所、連絡先、支払手段等の所定情報が含まれている。
【００２１】
また、申込情報受信部１１は、入力必須の所定情報を含む申込情報のみを受け付け、入力必須の所定情報を含まない申込情報については受け付けないように構成されていてもよい。
【００２２】
顧客ＤＢ１２は、本実施形態において、申込情報に応じて、顧客を識別する第１のサービス用顧客ＩＤと第２のサービス用顧客ＩＤとを関連付けて記憶する記憶手段を構成する。
【００２３】
具体的には、顧客ＤＢ１２は、申込情報受信部１１と審査結果受信部１５と第１のサービスＩ／Ｆ部１７と第２のサービスＩ／Ｆ部１８とに接続されており、例えば、図２に示すように、「顧客ＩＤ」と「カード番号」と「第１のサービス用顧客ＩＤ」と「第２のサービス用顧客ＩＤ」と「第２のサービスの利用可否情報」と「顧客情報」とを関連付けるレコードを記憶する。
【００２４】
顧客ＤＢ１２は、申込情報受信部１１から申込情報を受信した場合、「第２のサービスの利用可否情報」が「否」であるレコード１２ｂを作成して記憶する。
【００２５】
「顧客ＩＤ」は、カード２を発行した顧客を識別するためのものである。「カード番号」は、カード２自身を識別するためのものである。「第１のサービス用顧客ＩＤ」は、第１のサービスにおいて当該顧客を識別するためのものである。「第２のサービス用顧客ＩＤ」は、第２のサービスにおいて当該顧客を識別するためのものである。「第２のサービスの利用可否情報」は、当該顧客に対して第２のサービスを提供可能である旨を示す第２のサービス提供可能情報（「可」）、又は、当該顧客に対して第２のサービスを提供不可能である旨を示す第２のサービス提供不可能情報（「不可」）のどちらかの値を選択可能なものである。「顧客情報」は、当該顧客の氏名、住所、連絡先、支払手段等の情報である。
【００２６】
ここで、「顧客ＩＤ」、「第１のサービス用顧客ＩＤ」及び「第２のサービス用顧客ＩＤ」は、同じＩＤであってもよいし、各々独立のＩＤであってもよい。
【００２７】
カード発行許可情報送信部１３は、本実施形態では、申込情報に応じて、「顧客ＩＤ」と「第１のサービス用顧客ＩＤ」と「第２のサービス用顧客ＩＤ」とを含むカード発行許可情報を、カード発行端末３０に送信するカード発行許可情報送信手段を構成する。
【００２８】
具体的には、カード発行許可情報送信部１３は、申込情報受信部１１に接続されており、申込情報受信部１１から受信した申込情報に基づいてカード発行許可情報を生成し、ネットワーク１を介してカード発行端末３０に送信する。カード発行許可情報送信部１３は、カード発行許可情報を、電子情報としてカード発行端末３０に送信してもよいし、郵送やＦＡＸでカード発行端末３０に送信してもよい。
【００２９】
また、カード発行許可情報送信部１３は、申込情報受信部１１から受信した申込情報に基づいて、当該顧客に対してカード２を発行してもよいか否かについての簡単な審査を行ってもよい。例えば、カード発行許可情報送信部１３は、顧客ＤＢ１２を検索して、同一の顧客に対して既にカード２を発行している場合にカード発行許可情報を送信しないように構成されていてもよい。
【００３０】
審査要求部１４は、申込情報受信部１１に接続されており、申込情報受信部１１から送信された申込情報に応じて、当該顧客に対する第２のサービスの提供の可否の審査を要求するものである。例えば、審査要求部１４は、第２のサービスがキャッシングサービス等の場合、当該顧客の与信審査を要求する。
【００３１】
また、審査要求部１４は、外部システムに対して上述の審査を要求してもよいし、サーバ装置１０が具備する機能に対して上述の審査を要求してもよい。
【００３２】
審査結果受信部１５は、顧客ＤＢ１２と審査結果送信部１６とに接続されており、当該顧客に対する第２のサービスの提供の可否の審査結果を受信して、審査結果送信部１６に通知する。
【００３３】
また、審査結果受信部１５は、上述の審査結果を受信した場合に、顧客ＤＢ１２において第２のサービス提供可能情報を第２のサービス用顧客ＩＤに関連付けて記憶する、すなわち、顧客ＤＢ１２において当該顧客の「第２のサービスの利用可否情報」を「第２のサービス提供可能情報（「可」）」に変更する。
【００３４】
審査結果送信部１６は、審査結果受信部１５に接続されており、審査結果受信部から通知された審査結果を顧客に対して送信するものである。審査結果送信部１６は、郵送やＦＡＸで上述の審査結果を顧客に送信してもよいし、ネットワーク１を介して電子的に上述の審査結果を顧客に送信してもよい。
【００３５】
本実施形態において、審査要求部１４と審査結果受信部１５と審査結果送信部１６とが、申込情報に応じて、顧客に対する第２のサービスの提供の可否を審査した結果に基づいて、記憶手段（顧客ＤＢ１２）において第２のサービスを提供可能である旨を示す第２のサービス提供可能情報を第２のサービス用顧客ＩＤに関連付けて記憶する審査手段を構成する。
【００３６】
第１のサービスＩ／Ｆ部１７は、本実施形態において、第１のサービス端末５０から第１のサービス用顧客ＩＤを含む第１のサービスの提供要求を受信した場合、該第１のサービス用顧客ＩＤが記憶手段（顧客ＤＢ１２）に記憶されているか否かに基づいて、該第１のサービスの提供の可否を判断する第１の判断手段を構成する。
【００３７】
具体的には、第１のサービスＩ／Ｆ部１７は、顧客ＤＢ１２に接続されており、第１のサービスの提供要求に含まれる第１のサービス用顧客ＩＤが顧客ＤＢ１２に記憶されている場合、当該顧客に対して第１のサービスを提供可能であると判断し、当該判断結果をネットワーク１を介して第１のサービス端末５０に通知する。
【００３８】
第２のサービスＩ／Ｆ部１８は、本実施形態において、第２のサービス端末７０から第２のサービス用顧客ＩＤを含む第２のサービスの提供要求を受信した場合、記憶手段（顧客ＤＢ１２）において該第２のサービス用顧客ＩＤに第２のサービス提供可能情報が関連付けられているか否かに基づいて、第２のサービスの提供の可否を判断する第２の判断手段を構成する。
【００３９】
具体的には、第２のサービスＩ／Ｆ部１８は、顧客ＤＢ１２に接続されており、顧客ＤＢ１２において、第２のサービスの提供要求に含まれる第２のサービス用顧客ＩＤに第２のサービス提供可能情報が関連付けられている場合、すなわち、第２のサービスの提供要求に含まれる第２のサービス用顧客ＩＤに関連付けられている「第２のサービスの利用可否情報」が「第２のサービス提供可能情報（「可」）」である場合、当該顧客に対して第２のサービスを提供可能であると判断し、当該判断結果をネットワーク１を介して第２のサービス端末７０に通知する。
【００４０】
カード発行端末３０は、顧客に対してカード２を発行するものであって、図１に示すように、申込情報送信部３１と、カード発行許可情報受信部３２と、カード発行部３３とを具備している。
【００４１】
申込情報送信部３１は、ネットワーク１を介して、顧客によって作成された申込情報をサーバ装置１０に送信するものである。申込情報送信部３１は、電子情報として申込情報を送信してもよいし、郵送やＦＡＸを介して申込情報を送信してもよい。
【００４２】
カード発行許可情報受信部３２は、カード発行部３３に接続されており、サーバ装置１０からのカード発行許可情報を受信してカード発行部３３に通知するものである。
【００４３】
カード発行部３３は、本実施形態において、サーバ装置１０から受信したカード発行許可情報に応じて、顧客に対して第１のサービス用顧客ＩＤ及び第２のサービス用顧客ＩＤを含むカード２を発行するカード発行手段を構成する。
【００４４】
具体的には、カード発行部３３は、図３に示すように、カード２の磁気部２ａ又はＩＣチップ部２ｂに、「顧客ＩＤ」と「カード番号」と「第１のサービスＩＤ」と「第１のサービス用顧客ＩＤ」と「第２のサービスＩＤ」と「第２のサービス用顧客ＩＤ」とを記憶させることによって、カード２を発行する。
【００４５】
カード発行部３３は、全てのデータ（「顧客ＩＤ」等）を磁気部２ａ又はＩＣチップ部２ｂの一方に記憶させてもよいし、一部のデータを磁気部２ａに記憶させて、残りのデータをＩＣチップ部２ｂに記憶させてもよい。
【００４６】
第１のサービス端末５０は、ポイントサービス等の厳密な審査を行う必要が無いため即時利用が可能な第１のサービスを提供するものであり、図１に示すように、読取部５１と、第１のサービスＩ／Ｆ部５２と、第１のサービス処理部５３とを具備している。
【００４７】
読取部５１は、第１のサービスＩ／Ｆ部５２に接続されており、カード２の磁気部２ａ又はＩＣチップ部２ｂに記憶されているデータを読み取り、読み取ったデータを第１のサービスＩ／Ｆ部５２に通知するものである。読取部５１は、例えば、磁気リーダやＩＣチップリーダ等によって構成されている。
【００４８】
第１のサービスＩ／Ｆ部５２は、読取部５１と第１のサービス処理部５３とに接続されており、読取部５１からのデータを基に第１のサービス提供要求を生成してネットワーク１を介してサーバ装置１０に送信するものである。
【００４９】
また、第１のサービスＩ／Ｆ部５２は、サーバ装置１０から送信された第１のサービスの提供が可能である旨の通知を受信して、その旨を第１のサービス処理部５３に通知する。
【００５０】
第１のサービス処理部５３は、第１のサービスＩ／Ｆ部５２に接続されており、第１のサービスＩ／Ｆ部５２からの第１のサービスの提供が可能である旨の通知を受信した場合に、カード２を携帯する顧客に対して第１のサービスを提供するものである。
【００５１】
第２のサービス端末７０は、キャッシングサービスやクレジットカードサービス等の厳密な審査を行う必要があるため即時利用が不可能な第２のサービスを提供するものであり、図１に示すように、読取部７１と、第２のサービスＩ／Ｆ部７２と、第２のサービス処理部７３とを具備している。
【００５２】
読取部７１は、第２のサービスＩ／Ｆ部７２に接続されており、カード２の磁気部２ａ又はＩＣチップ部２ｂに記憶されているデータを読み取り、読み取ったデータを第２のサービスＩ／Ｆ部７２に通知するものである。読取部７１は、例えば、磁気リーダやＩＣチップリーダ等によって構成されている。
【００５３】
第２のサービスＩ／Ｆ部７２は、読取部７１と第２のサービス処理部７３とに接続されており、読取部７１からのデータを基に第２のサービス提供要求を生成してネットワーク１を介してサーバ装置１０に送信するものである。
【００５４】
また、第２のサービスＩ／Ｆ部７２は、サーバ装置１０から送信された第２のサービスの提供が可能である旨の通知を受信して、その旨を第２のサービス処理部７３に通知する。
【００５５】
第２のサービス処理部７３は、第２のサービスＩ／Ｆ部７２に接続されており、第２のサービスＩ／Ｆ部７２からの第２のサービスの提供が可能である旨の通知を受信した場合に、カード２を携帯する顧客に対して第２のサービスを提供するものである。
【００５６】
（本実施形態に係るカード発行システムの動作）
上記構成を有するカード発行システムの動作について、図４を参照にして説明する。図４は、本実施形態に係るカード発行システムにおいて、顧客に対してカードを発行する動作を示すシーケンス図である。
【００５７】
図４に示すように、ステップ４０１において、カード発行端末３０の申込情報送信部３１が、ネットワーク１を介して申込情報をサーバ装置１０に送信する。
【００５８】
ステップ４０２において、サーバ装置１０の顧客ＤＢ１２が、申込情報受信部１１によって受信された申込情報に応じて、図２に示すように、「顧客ＩＤ」と「カード番号」と「第１のサービス用顧客ＩＤ」と「第２のサービス用顧客ＩＤ」と「第２のサービスの利用可否情報」と「顧客情報」とを関連付けるレコードを記憶する。
【００５９】
ステップ４０３において、サーバ装置１０のカード発行許可情報送信部１３が、ネットワーク１を介してカード発行許可情報をカード発行端末３０に送信する。
【００６０】
ステップ４０４において、カード発行端末３０のカード発行部３３が、カード発行許可情報受信部３２によって受信されたカード発行許可情報に基づいて、カード２を発行する。
【００６１】
ステップ４０５において、カード２を携帯する顧客が、第１のサービスの提供を受けることを望んだ場合、第１のサービス端末５０の第１のサービスＩ／Ｆ部５２が、読取部５１によって読み取ったデータを基に作成された第１のサービス提供要求を、ネットワーク１を介してサーバ装置１０に送信する。
【００６２】
ステップ４０６において、サーバ装置１０の第１のサービスＩ／Ｆ部１７は、受信した第１のサービスの提供要求に含まれる第１のサービス用顧客ＩＤが顧客ＤＢ１２に記憶されているか否かについて判断する。
【００６３】
ステップ４０７において、第１のサービスＩ／Ｆ部１７は、当該第１のサービス用顧客ＩＤが顧客ＤＢ１２に記憶されている場合、当該顧客に対して第１のサービスを提供可能であると判断し、当該判断結果をネットワーク１を介して第１のサービス端末５０に通知する。
【００６４】
この時点では、顧客ＤＢ１２において、第２のサービスにおいて当該顧客を識別する第２のサービス用顧客ＩＤに関連付けられている「第２のサービスの利用可否情報」が「否」であるため、カード２を携帯する顧客は、第２のサービスの提供を受けることはできない。
【００６５】
ステップ４０８において、審査要求部１４が、申込情報受信部１１から送信された申込情報に応じて、当該顧客に対する第２のサービスの提供の可否の審査を要求する。
【００６６】
ステップ４０９において、審査結果受信部１５は、肯定的な審査結果を受信した場合に、顧客ＤＢ１２において第２のサービス提供可能情報を第２のサービス用顧客ＩＤに関連付けて記憶する、すなわち、顧客ＤＢ１２において当該顧客の「第２のサービスの利用可否情報」を「第２のサービス提供可能情報（「可」）」に変更する。
【００６７】
ステップ４１０において、カード２を携帯する顧客が、第２のサービスの提供を受けることを望んだ場合、第２のサービス端末７０の第２のサービスＩ／Ｆ部７２が、読取部７１によって読み取ったデータを基に作成された第２のサービス提供要求を、ネットワーク１を介してサーバ装置１０に送信する。
【００６８】
ステップ４１１において、サーバ装置１０の第２のサービスＩ／Ｆ部１７は、顧客ＤＢ１２において、上述の第２のサービスの提供要求に含まれる第２のサービス用顧客ＩＤに関連付けられている「第２のサービスの利用可否情報」が「可」であるか否かについて判断する。
【００６９】
ステップ４０７において、第２のサービスＩ／Ｆ部１８は、顧客ＤＢ１２において、当該第２のサービス用顧客ＩＤに関連付けられている「第２のサービスの利用可否情報」が「可」である場合、当該顧客に対して第２のサービスを提供可能であると判断し、当該判断結果をネットワーク１を介して第２のサービス端末７０に通知する。
【００７０】
（本実施形態に係るカード発行システムの作用・効果）
本実施形態に係るカード発行システムによれば、即時利用可能であるべき第１のサービス又は厳密な審査を必要とする第２のサービスを提供可能か否かの判断手法を異なるように構成された第１のサービスＩ／Ｆ部１７と第２のサービスＩ／Ｆ部１８とを設けることによって、発行されたカード２を携帯する顧客に対して、即時に第１のサービスについて提供することができ、厳密な審査の終了後に初めて第２のサービスについては提供することができるカード発行システムを提供することができる。
【００７１】
【発明の効果】
本発明によれば、顧客が、即時利用可能な第１のサービス及び即時利用不可能な第２のサービスの双方の提供を受けることが可能なカード２の発行時に第１のサービスのみの提供を受けることを可能とし、厳密な審査の終了後に第２のサービスの提供を受けることを可能とするカード発行システム及びカード発行方法を提供することができる。
【図面の簡単な説明】
【図１】本発明の一実施形態に係るカード発行システムの概略構成を示す図である
【図２】本発明の一実施形態に係るカード発行システムの顧客ＤＢの一例を示す図である。
【図３】本発明の一実施形態に係るカード発行システムのカード発行端末によって発行されるカードを示す図である。
【図４】本発明の一実施形態に係るカード発行システムの動作を示すシーケンス図である。
【符号の説明】
１…ネットワーク
２…カード
２ａ…磁気部
２ｂ…ＩＣチップ部
１０…サーバ装置
１１…申込情報受信部
１２…顧客ＤＢ
１３…カード発行許可情報送信部
１４…審査要求部
１５…審査結果受信部
１６…審査結果送信部
１７、５２…第１のサービスＩ／Ｆ部
１８、７２…第２のサービスＩ／Ｆ部
３０…カード発行端末
３１…申込情報送信部
３２…カード発行許可情報受信部
３３…カード発行部
５０…第１のサービス端末
５１、７１…読取部
５３…第１のサービス処理部
７０…第２のサービス端末
７３…第２のサービス処理部
【図１】
2004005255.tif 000003
【図２】
2004005255.tif 000004
【図３】
2004005255.tif 000005
【図４】
2004005255.tif 000006